【手続補正書】
【提出日】平成16年11月8日(2004.11.8)
【手続補正１】
【補正対象書類名】特許請求の範囲
【補正対象項目名】全文
【補正方法】変更
【補正の内容】
【特許請求の範囲】
【請求項１】
軸を有し、前記軸方向に対向する第１および第２の端を有するハウジングと、
前記軸と同軸であり前記ハウジング内に内側端を有し、前記第１の端の軸方向に外向きに外側端を有するロッド部材と、
前記ロッド部材を前記ハウジングに対して引っ込んだ位置と拡張した位置との間で前記ハウジングの軸方向に往復動せしめるために前記ロッド部材を支持する前記ロッド部材の前記内側端にあるガイド部材と、
前記ガイド部材と前記ハウジングの前記第２の端との間に延在する第１および第２の圧縮ばねであって、互いに、且つ前記軸に対して同軸である第１および第２の圧縮ばねと、
前記ガイド部材とロッドブッシュとの間に設けた衝撃吸収ばねリングとを具備し、
前記ロッドブッシュは前記第１の端の近傍にあり、完全拡張時に前記衝撃吸収ばねリングが前記ロッドブッシュに接触するように構成したことを特徴とする圧縮ばねロッド。
【請求項２】
前記軸と同軸であり、前記ガイド部材と前記ハウジングの一端部間に設けた第３の圧縮ばねを含むことを特徴とする請求項１記載の圧縮ばねロッド。
【請求項３】
前記軸と同軸であり、前記ガイド部材と前記ハウジングの一端部間に設けた第３の圧縮ばね及び第４の圧縮ばねを含むことを特徴とする請求項１記載の圧縮ばねロッド。
【請求項４】
前記圧縮ばねの少なくとも一つの巻き方向は、前記圧縮ばねの他の少なくとも一つの巻き方向と反対であることを特徴とする請求項１乃至３の何れかに記載の圧縮ばねロッド。
【請求項５】
前記圧縮ばねの巻き方向は、同じ方向であることを特徴とする請求項１乃至３の何れかに記載の圧縮ばねロッド。
【請求項６】
前記圧縮ばねの少なくとも一つの自由長は、前記圧縮ばねの他の少なくとも一つの自由長と異なることを特徴とする請求項１乃至５の何れかに記載の圧縮ばねロッド。
【請求項７】
前記圧縮ばねの自由長は、同じであることを特徴とする請求項１乃至５の何れかに記載の圧縮ばねロッド。
【請求項８】
前記圧縮ばねの少なくとも一つの外径は、前記圧縮ばねの他の少なくとも一つの外径よりも小さいことを特徴とする請求項１乃至７の何れかに記載の圧縮ばねロッド。
【請求項９】
前記圧縮ばねの少なくとも二つの外径は、同じであることを特徴とする請求項２又は３記載の圧縮ばねロッド。
【請求項１０】
前記圧縮ばねの少なくとも一つのワイヤの直径は、前記圧縮ばねの他の少なくとも一つの直径より小さいことを特徴とする請求項１乃至９の何れかに記載の圧縮ばねロッド。
【請求項１１】
前記圧縮ばねのワイヤの直径は、同じであることを特徴とする請求項１乃至９の何れかに記載の圧縮ばねロッド。
【請求項１２】
前記圧縮ばねは、前記ロッド部材を前記拡張した位置の方向へ付勢することを特徴とする請求項１乃至１１の何れかに記載の圧縮ばねロッド。
【請求項１３】
前記圧縮ばねは、前記ロッド部材を前記引っ込んだ位置の方向へ付勢することを特徴とする請求項１乃至１２の何れかに記載の圧縮ばねロッド。
【請求項１４】
前記圧縮ばねは、前記ロッド部材を前記ハウジングの中央方向へ付勢することを特徴とする請求項１乃至１３の何れかに記載の圧縮ばねロッド。
【請求項１５】
前記ハウジングの対向する端部の一つには、ブッシングが設けられ、前記ブッシングが前記ロッド部材を支持し、これにより、前記ロッド部材が前記ハウジングに対して引っ込んだ位置と拡張した位置との間で前記軸方向に往復動することを特徴とする請求項１乃至１４の何れかに記載の圧縮ばねロッド。
【請求項１６】
前記ガイド部材は、ガイド部材のハウジング内の滑動を促進するために設けたガイドリングに囲まれていることを特徴とする請求項１乃至１５の何れかに記載の圧縮ばねロッド。
【請求項１７】
前記軸に同軸であるガイドロッドが設けられ、前記ガイドロッドは、内端と外側に延びる外端とからなり、前記ガイド部材は、前記ロッド部材の内側端と前記ガイドロッドとの間に位置し、前記ガイドロッドは、少なくとも一つの前記圧縮ばねの座屈を抑制することを特徴とする請求項１乃至１６の何れかに記載の圧縮ばねロッド。
【請求項１８】
前記ガイドロッドの長さは、前記ロッド部材の前記引っ込んだ位置を制限する長さであることを特徴とする請求項１７記載の圧縮ばねロッド。
【請求項１９】
テールブッシュが設けられ、前記テールブッシュは、前記ハウジング内に前記軸に同軸に延びたネック部分を具備し、前記ネック部分は、前記圧縮ばねの少なくとも一つの内部に挿入されるような断面と形状とを具備し、これにより、前記ロッド部材の往復運動中の前記圧縮ばねの座屈を抑制することを特徴とする請求項１乃至１８の何れかに記載の圧縮ばねロッド。
【請求項２０】
前記ロッドブッシュは、前記衝撃吸収ばねリングを少なくとも部分的に受け入れるへこみを具備することを特徴とする請求項１乃至１９の何れかに記載の圧縮ばねロッド。
【請求項２１】
前記ロッドブッシュは、前記圧縮ばねの少なくとも一つを、少なくとも部分的に受けるへこみを具備することを特徴とする請求項１乃至２０の何れかに記載の圧縮ばねロッド。
【請求項２２】
軸を有し、前記軸方向に対向する第１および第２の端を有するハウジングと、
前記軸と同軸であり前記ハウジング内に内側端を有し、前記第１の端の軸方向に外向きに外側端を有するロッド部材と、
前記軸に同軸であり、内端と外側に延びる外端とからなるガイドロッドと、
前記ロッド部材の内側端と前記ガイドロッドとの間に位置するガイド部材と、
前記ガイド部材と前記ハウジングの第２の端との間に延在する第１および第２の圧縮ばねとからなり、
前記第１および第２の圧縮ばねは、前記軸に対して互いに同軸であり、
前記ガイド部材は、前記ロッド部材を、前記ハウジングに対して引っ込んだ位置と拡張した位置との間で前記軸方向に往復動せしめるために、前記ロッド部材を支持し、
前記ガイドロッドは、少なくとも一つの前記圧縮ばねの座屈を抑制することを特徴とする圧縮ばねロッド。
【請求項２３】
前記ガイドロッドの長さは、前記ロッド部材の前記引っ込んだ位置を制限する長さであることを特徴とする請求項２２記載の圧縮ばねロッド。
【請求項２４】
前記軸と同軸であり、前記ガイド部材と前記ハウジングの一端部間に設けた第３の圧縮ばねを含むことを特徴とする請求項２２又は２３記載の圧縮ばねロッド。
【請求項２５】
前記軸と同軸であり、前記ガイド部材と前記ハウジングの一端部間に設けた第３の圧縮ばね及び第４の圧縮ばねを含むことを特徴とする請求項２２又は２３記載の圧縮ばねロッド。
【請求項２６】
前記圧縮ばねの少なくとも一つの巻き方向は、前記圧縮ばねの他の少なくとも一つの巻き方向と反対であることを特徴とする請求項２２乃至２５の何れかに記載の圧縮ばねロッド。
【請求項２７】
前記圧縮ばねの巻き方向は、同じ方向であることを特徴とする請求項２２乃至２５の何れかに記載の圧縮ばねロッド。
【請求項２８】
前記圧縮ばねの少なくとも一つの自由長は、前記圧縮ばねの他の少なくとも一つの自由長と異なることを特徴とする請求項２２乃至２７の何れかに記載の圧縮ばねロッド。
【請求項２９】
前記圧縮ばねの自由長は、同じであることを特徴とする請求項２２乃至２７の何れかに記載の圧縮ばねロッド。
【請求項３０】
前記圧縮ばねの少なくとも一つの外径は、前記圧縮ばねの他の少なくとも一つの外径よりも小さいことを特徴とする請求項２２乃至２９の何れかに記載の圧縮ばねロッド。
【請求項３１】
前記圧縮ばねの少なくとも二つの外径は、同じであることを特徴とする請求項２４又は２５記載の圧縮ばねロッド。
【請求項３２】
前記圧縮ばねの少なくとも一つのワイヤの直径は、前記圧縮ばねの他の少なくとも一つの直径より小さいことを特徴とする請求項２２乃至３１の何れかに記載の圧縮ばねロッド。
【請求項３３】
前記圧縮ばねのワイヤの直径は、同じであることを特徴とする請求項２２乃至３１の何れかに記載の圧縮ばねロッド。
【請求項３４】
前記圧縮ばねは、前記ロッド部材を前記拡張した位置の方向へ付勢することを特徴とする請求項２２乃至３３の何れかに記載の圧縮ばねロッド。
【請求項３５】
前記圧縮ばねは、前記ロッド部材を前記引っ込んだ位置の方向へ付勢することを特徴とする請求項２２乃至３４の何れかに記載の圧縮ばねロッド。
【請求項３６】
前記圧縮ばねは、前記ロッド部材を前記ハウジングの中央方向へ付勢することを特徴とする請求項２２乃至３５の何れかに記載の圧縮ばねロッド。
【請求項３７】
前記ハウジングの対向する端部の一つには、ブッシングが設けられ、前記ブッシングが前記ロッド部材を支持し、これにより、前記ロッド部材が前記ハウジングに対して引っ込んだ位置と拡張した位置との間で前記軸方向に往復動することを特徴とする請求項２２乃至３６の何れかに記載の圧縮ばねロッド。
【請求項３８】
前記ガイド部材は、ガイド部材のハウジング内の滑動を促進するために設けたガイドリングに囲まれていることを特徴とする請求項２２乃至３７の何れかに記載の圧縮ばねロッド。
【請求項３９】
テールブッシュが設けられ、前記テールブッシュは、前記ハウジング内に前記軸に同軸に延びたネック部分を具備し、前記ロッド部材の往復運動中の前記圧縮ばねの座屈を抑制するために、前記ネック部分は、前記圧縮ばねの少なくとも一つの内部に挿入されるような断面と形状とを具備することを特徴とする請求項２２乃至３８の何れかに記載の圧縮ばねロッド。
【請求項４０】
ロッドブッシュが設けられ、前記ロッドブッシュは、前記圧縮ばねの少なくとも一つを、少なくとも部分的に受けるへこみを具備し、前記ロッドブッシュは、前記引っ込んだ位置と拡張した位置との間での前記ロッド部材の動きを容易にすることを特徴とする請求項２２乃至３９の何れかに記載の圧縮ばねロッド。
【請求項４１】
前記ガイド部材とロッドブッシュとの間に衝撃吸収ばねリングを設け、前記ロッドブッシュを前記第１の端の近傍に設け、これにより、最大拡張時に、前記衝撃吸収ばねリングが前記ロッドブッシュに接触し、前記ロッドブッシュは、前記引っ込んだ位置と拡張した位置との間での前記ロッド部材の動きを容易にすることを特徴とする請求項２２乃至４０の何れかに記載の圧縮ばねロッド。
【請求項４２】
前記ロッドブッシュは、前記衝撃吸収ばねリングを少なくとも部分的に受け入れるへこみを具備することを特徴とする請求項４１記載の圧縮ばねロッド。
【請求項４３】
軸を有し、前記軸方向に対向する第１および第２の端を有するハウジングと、
前記軸と同軸であり前記ハウジング内に内側端を有し、前記第１の端の軸方向に外向きに外側端を有するロッド部材と、
前記ロッド部材を前記ハウジングに対して引っ込んだ位置と拡張した位置との間で前記軸方向に往復動せしめると共に、前記ロッド部材を支持するために、前記ロッド部材の内側端に設けられたガイド部材と、
前記ガイド部材と前記ハウジングの第２の端との間に延在する第１および第２の圧縮ばねと、
前記ハウジング内で前記軸と同軸に延びたネック部分を備えたテールブッシュとからなり、
前記第１および第２の圧縮ばねは、前記軸に対して互いに同軸であり、
前記ネック部分は、前記圧縮ばねの少なくとも一つの内部に挿入されるような断面と形状とを具備し、これにより、前記ロッド部材の往復運動中の前記圧縮ばねの座屈を抑制することを特徴とする圧縮ばねロッド。
【請求項４４】
前記軸と同軸であり、前記ガイド部材と前記ハウジングの一端部間に設けた第３の圧縮ばねを含むことを特徴とする請求項４３記載の圧縮ばねロッド。
【請求項４５】
前記軸と同軸であり、前記ガイド部材と前記ハウジングの一端部間に設けた第３の圧縮ばね及び第４の圧縮ばねを含むことを特徴とする請求項４３記載の圧縮ばねロッド。
【請求項４６】
前記圧縮ばねの少なくとも一つの巻き方向は、前記圧縮ばねの他の少なくとも一つの巻き方向と反対であることを特徴とする請求項４３乃至４５の何れかに記載の圧縮ばねロッド。
【請求項４７】
前記圧縮ばねの巻き方向は、同じ方向であることを特徴とする請求項４３乃至４５の何れかに記載の圧縮ばねロッド。
【請求項４８】
前記圧縮ばねの少なくとも一つの自由長は、前記圧縮ばねの他の少なくとも一つの自由長と異なることを特徴とする請求項４３乃至４７の何れかに記載の圧縮ばねロッド。
【請求項４９】
前記圧縮ばねの自由長は、同じであることを特徴とする請求項４３乃至４７の何れかに記載の圧縮ばねロッド。
【請求項５０】
前記圧縮ばねの少なくとも一つの外径は、前記圧縮ばねの他の少なくとも一つの外径よりも小さいことを特徴とする請求項４３乃至４９の何れかに記載の圧縮ばねロッド。
【請求項５１】
前記圧縮ばねの少なくとも二つの外径は、同じであることを特徴とする請求項４４又は４５記載の圧縮ばねロッド。
【請求項５２】
前記圧縮ばねの少なくとも一つのワイヤの直径は、前記圧縮ばねの他の少なくとも一つの直径より小さいことを特徴とする請求項４３乃至５１の何れかに記載の圧縮ばねロッド。
【請求項５３】
前記圧縮ばねのワイヤの直径は、同じであることを特徴とする請求項４３乃至５１の何れかに記載の圧縮ばねロッド。
【請求項５４】
前記圧縮ばねは、前記ロッド部材を前記拡張した位置の方向へ付勢することを特徴とする請求項４３乃至５３の何れかに記載の圧縮ばねロッド。
【請求項５５】
前記圧縮ばねは、前記ロッド部材を前記引っ込んだ位置の方向へ付勢することを特徴とする請求項４３乃至５４の何れかに記載の圧縮ばねロッド。
【請求項５６】
前記圧縮ばねは、前記ロッド部材を前記ハウジングの中央方向へ付勢することを特徴とする請求項４３乃至５５の何れかに記載の圧縮ばねロッド。
【請求項５７】
前記ハウジングの対向する端部の一つには、ブッシングが設けられ、前記ブッシングが前記ロッド部材を支持し、これにより、前記ロッド部材が前記ハウジングに対して引っ込んだ位置と拡張した位置との間で前記軸方向に往復動することを特徴とする請求項４３乃至５６の何れかに記載の圧縮ばねロッド。
【請求項５８】
前記ガイド部材は、ガイド部材のハウジング内の滑動を促進するために設けたガイドリングに囲まれていることを特徴とする請求項４３乃至５７の何れかに記載の圧縮ばねロッド。
【請求項５９】
前記軸に同軸であるガイドロッドが設けられ、前記ガイドロッドは、内端と外側に延びる外端とからなり、前記ガイド部材は、前記ロッド部材の内側端と前記ガイドロッドとの間に位置し、前記ガイドロッドは、少なくとも一つの前記圧縮ばねの座屈を抑制することを特徴とする請求項４３乃至５８の何れかに記載の圧縮ばねロッド。
【請求項６０】
前記ガイドロッドの長さは、前記ロッド部材の前記引っ込んだ位置を制限する長さであることを特徴とする請求項４３乃至５９の何れかに記載の圧縮ばねロッド。
【請求項６１】
ロッドブッシュが設けられ、前記ロッドブッシュは、前記圧縮ばねの少なくとも一つを、少なくとも部分的に受けるへこみを具備し、前記ロッドブッシュは、前記引っ込んだ位置と拡張した位置との間での前記ロッド部材の動きを容易にすることを特徴とする請求項４３乃至６０の何れかに記載の圧縮ばねロッド。
【請求項６２】
前記ガイド部材とロッドブッシュとの間に衝撃吸収ばねリングを設け、前記ロッドブッシュを前記第１の端の近傍に設け、これにより、最大拡張時に、前記衝撃吸収ばねリングが前記ロッドブッシュに接触し、前記ロッドブッシュは、前記引っ込んだ位置と拡張した位置との間での前記ロッド部材の動きを容易にすることを特徴とする請求項４３乃至６１の何れかに記載の圧縮ばねロッド。
【請求項６３】
軸を有し、前記軸方向に対向する第１および第２の端を有するハウジングと、
前記軸と同軸であり前記ハウジング内に内側端を有し、前記第１の端の軸方向に外向きに外側端を有するロッド部材と、
前記ロッド部材を前記ハウジングに対して引っ込んだ位置と拡張した位置との間で前記ハウジングの軸方向に往復動せしめるために、前記ロッド部材を支持する前記ロッド部材の前記内側端にあるガイド部材と、
引っ込んだ位置と拡張した位置との間で前記ロッド部材の動きを促進するために、前記ハウジング内の一端に設けたロッドブッシュと、
前記ガイド部材と前記ハウジングの前記第２の端との間に延在する第１および第２の圧縮ばねであって、互いに、且つ前記軸に対して同軸である第１および第２の圧縮ばねとからなり、
前記第１および第２の圧縮ばねは、前記軸に対して互いに同軸であり、
前記ロッドブッシュは、前記圧縮ばねの少なくとも一つ、又は前記ガイド部材の一部、又はこれらの組み合わせの一部を、少なくとも部分的に受けるへこみを具備することを特徴とする圧縮ばねロッド。
【請求項６４】
前記軸と同軸であり、前記ガイド部材と前記ハウジングの一端部間に設けた第３の圧縮ばねを含むことを特徴とする請求項６３記載の圧縮ばねロッド。
【請求項６５】
前記軸と同軸であり、前記ガイド部材と前記ハウジングの一端部間に設けた第３の圧縮ばね及び第４の圧縮ばねを含むことを特徴とする請求項６３記載の圧縮ばねロッド。
【請求項６６】
前記圧縮ばねの少なくとも一つの巻き方向は、前記圧縮ばねの他の少なくとも一つの巻き方向と反対であることを特徴とする請求項６３乃至６５の何れかに記載の圧縮ばねロッド。
【請求項６７】
前記圧縮ばねの巻き方向は、同じ方向であることを特徴とする請求項６３乃至６５の何れかに記載の圧縮ばねロッド。
【請求項６８】
前記圧縮ばねの少なくとも一つの自由長は、前記圧縮ばねの他の少なくとも一つの自由長と異なることを特徴とする請求項６３乃至６７の何れかに記載の圧縮ばねロッド。
【請求項６９】
前記圧縮ばねの自由長は、同じであることを特徴とする請求項６３乃至６７の何れかに記載の圧縮ばねロッド。
【請求項７０】
前記圧縮ばねの少なくとも一つの外径は、前記圧縮ばねの他の少なくとも一つの外径よりも小さいことを特徴とする請求項６３乃至６９の何れかに記載の圧縮ばねロッド。
【請求項７１】
前記圧縮ばねの少なくとも二つの外径は、同じであることを特徴とする請求項６４又は６５記載の圧縮ばねロッド。
【請求項７２】
前記圧縮ばねの少なくとも一つのワイヤの直径は、前記圧縮ばねの他の少なくとも一つの直径より小さいことを特徴とする請求項６３乃至７１の何れかに記載の圧縮ばねロッド。
【請求項７３】
前記圧縮ばねのワイヤの直径は、同じであることを特徴とする請求項６３乃至７１の何れかに記載の圧縮ばねロッド。
【請求項７４】
前記圧縮ばねは、前記ロッド部材を前記拡張した位置の方向へ付勢することを特徴とする請求項６３乃至７３の何れかに記載の圧縮ばねロッド。
【請求項７５】
前記圧縮ばねは、前記ロッド部材を前記引っ込んだ位置の方向へ付勢することを特徴とする請求項６３乃至７４の何れかに記載の圧縮ばねロッド。
【請求項７６】
前記圧縮ばねは、前記ロッド部材を前記ハウジングの中央方向へ付勢することを特徴とする請求項６３乃至７５の何れかに記載の圧縮ばねロッド。
【請求項７７】
前記ハウジングの対向する端部の一つには、ブッシングが設けられ、前記ブッシングが前記ロッド部材を支持し、これにより、前記ロッド部材が前記ハウジングに対して引っ込んだ位置と拡張した位置との間で前記軸方向に往復動することを特徴とする請求項６３乃至７６の何れかに記載の圧縮ばねロッド。
【請求項７８】
前記ガイド部材は、ガイド部材のハウジング内の滑動を促進するために設けたガイドリングに囲まれていることを特徴とする請求項６３乃至７７の何れかに記載の圧縮ばねロッド。
【請求項７９】
前記軸に同軸であるガイドロッドが設けられ、前記ガイドロッドは、内端と外側に延びる外端とからなり、前記ガイド部材は、前記ロッド部材の内側端と前記ガイドロッドとの間に位置し、前記ガイドロッドは、少なくとも一つの前記圧縮ばねの座屈を抑制することを特徴とする請求項６３乃至７８の何れかに記載の圧縮ばねロッド。
【請求項８０】
前記ガイドロッドの長さは、前記ロッド部材の前記引っ込んだ位置を制限する長さであることを特徴とする請求項６３乃至７９の何れかに記載の圧縮ばねロッド。
【請求項８１】
前記ガイド部材とロッドブッシュとの間に衝撃吸収ばねリングを設け、前記ロッドブッシュを前記第１の端の近傍に設け、これにより、最大拡張時に、前記衝撃吸収ばねリングが前記ロッドブッシュに接触し、前記ロッドブッシュは、前記引っ込んだ位置と拡張した位置との間での前記ロッド部材の動きを容易にすることを特徴とする請求項６３乃至８０の何れかに記載の圧縮ばねロッド。